(57)【要約】      （修正有）【課題】使用時には筆立てとなり、不使用時には小さく折り畳むことのできる筆記具ケースを提供する【解決手段】第１区画２１、第２区画２２、第３区画２３、第４区画２４を有する横長板状の本体２と、折り畳んだ状態を維持することのできるリング状のバンド３を有する筆記具ケースである。第１区画２１、第２区画２２、第３区画２３、前記第４区画２４のうち少なくとも３面は、それぞれ、収納物を収容する収納室４，５，６と、この収納物が抜け落ちるのを防止する蓋を有する収納面を有している。各区画の間は折れ目２５，２６，２７となっている。各区画の間の前記折り目２５，２６，２７で折り畳むことにより、収納面を外側にしても内側にしても、三角柱状の筆立てとすることができる。【選択図】図４
2016202280.tif 000002
【特許請求の範囲】
【請求項１】
第１区画（２１）、第２区画（２２）、第３区画（２３）、第４区画（２４）を有する横長板状の本体（２）と、折り畳んだ状態を維持することのできるリング状のバンド（３）を有する筆記具ケースであって、
前記第１区画（２１）、前記第２区画（２２）、前記第３区画（２３）、前記第４区画（２４）のうち少なくとも３面は、それぞれ、収納物を収容する収納室（４，５，６，７）と、この収納物が抜け落ちるのを防止する蓋（４３，５３，６１，７１）を有する収納面を有し、
前記各区画の間は折れ目（２５，２６，２７）となっており、
前記区画の間の前記折り目（２５，２６，２７）で折り畳むことにより、前記収納面を外側にしても内側にしても、三角柱状の筆立てとすることができることを特徴とする筆記具ケース（１）。
【請求項２】
前記収納面を外側にして三角柱状の筆立てとするとき、前記バンド（３）が走る直線状のスペース（２８）を前記収納面に設けた請求項１記載の筆記具ケース。
【請求項３】
前記リング状バンド（３）の表裏で色彩を変えた請求項１記載の筆記具ケース。
【発明の詳細な説明】
【技術分野】
【０００１】
本発明は文房具としての筆記具ケースに関する。
【背景技術】
【０００２】
筆箱、ペンケース、筆入れ、などと呼ばれる筆記具ケースは、学生時代には多用するが、社会に出ると意外に無頓着になる人が多い。理由はいろいろあろうが、整理するのが下手だったり、持ち物がかさばるのを嫌ったりすることも主要な理由となるに違いない。文房具をかさばらないように整理して収納でき、必要なものは素早く出し入れでき、なおかつ見栄えのするものがあれば、潜在的な需要は大きいものと思われる。
【０００３】
従来の技術として、例えば、起立させて筆立てとして使用できる形式の筆記具ケースである実開平７―２６１８２がある。
【先行技術文献】
【特許文献】
【０００４】
【特許文献１】実開平７―２６１８２
【発明の概要】
【発明が解決しようとする課題】
【０００５】
上記従来技術は、筆立てとして使用することが主目的であり、不使用時に小さく折り畳むことができないようである。
【０００６】
本発明は、使用時には筆立てとなり、不使用時には小さく折り畳むことのできる筆記具ケースを提供することを目的とする。
【課題を解決するための手段】
【０００７】
本発明は、第１区画２１、第２区画２２、第３区画２３、第４区画２４を有する横長板状の本体２と、折り畳んだ状態を維持することのできるリング状の弾力バンド３を有する筆記具ケースであって、
前記第１区画２１、前記第２区画２２、前記第３区画２３、前記第４区画２４のうち少なくとも３面は、それぞれ、収納物を収容する収納室４，５，６，７と、この収納物が抜け落ちるのを防止する蓋４３，５３，６１，７１を有する収納面を有し、
前記各区画の間は折り目２５，２６，２７となっており、前記区画の間の前記折り目２５，２６，２７で折り畳むことにより、前記収納面を外側にしても内側にしても、三角柱状の筆立てとすることができることを特徴とする（請求項１）。
【０００８】
好ましくは、前記収納面を外側にして三角柱状の筆立てとするとき、前記バンド３が走る直線状のスペース２８を前記収納面に設ける（請求項２）。
【０００９】
また、好ましくは、前記リング状バンド３の表裏で色彩を変える（請求項３）。
【発明の効果】
【００１０】
請求項１の発明によれば、使用時には、第１区画２１、第２区画２２、第３区画２３、第４区画２４を折り目２５，２６，２７で折り畳むことにより、収納面を外側にしても内側にしても、三角柱状の筆立てとすることができる。不使用時には、第１区画２１を内側に入れ、第２区画２２、第３区画２３でこれを包み、第４区画２４で封鎖することにより、小さく折り畳むことができる。
【００１１】
請求項２の発明によれば、収納面を外側にして三角柱状の筆立てとする意外な使用方法も可能となる。
【００１２】
請求項３の発明によれば、バンドの色彩を表裏で異ならせることにより、起立状態維持用にバンドを使用するときと、折り畳み状態維持用にバンドを使用するときとで、異なった美感を与えるので、デザイン的に優れたものとなる。
【００１３】
以下、添付の図面に基づき、本発明の１実施例を説明する。
【図面の簡単な説明】
【００１４】
【図１】本実施例に係る筆記具ケースを開いた状態の斜視図である。
【図２】同じく開いた状態の（ａ）背面図、（ｂ）平面図、（ｃ）正面図、（ｄ）左側面図、（ｅ）右側面図である。
【図３】（ａ）図２のIIIA―IIIA線断面図であり、（ｂ）図２のIIIB―IIIB線断面図である。
【図４】（ａ）筆記具ケースを起立させたとき、収納面を外側にしたときの横断面図、（ｂ）筆記具ケースを起立させたとき、収納面を内側にしたときの横断面図、（ｃ）筆記具ケースを折り畳んだ状態の横断面図である。
【発明を実施するための形態】
【００１５】
図１に示すように、本実施例の筆記具ケース１は、１枚の横長板状の本体２を有する。この本体は４区画からなり、図１の左から、第１区画２１、第２区画２２、第３区画２３、第４区画２４と名付ける。
【００１６】
第１区画２１、第２区画２２、第３区画２３は、厚紙、プラスチックシート、木の薄板、等の腰のある素材を皮革張りして、高級感を醸し出すことが好ましい。各区画の間２５，２６，２７は、腰のある素材を使用しないで皮革のみとするか、又は、腰のある素材を使用しつつもミシン目や折れ目で折り畳みやすくする。
【００１７】
第４区画２４は、腰のある素材を使用せず、表面の皮革張りだけにすることが、折り畳んだとき、最後尾として巻き付け易いので好ましい。第４区画２４の右端中央部からリング状の弾力バンド３が伸びている。
【００１８】
起立させて筆立てとして使用するとき、図４（ａ）（ｂ）の横断面図に示すように、三角柱状に折り畳んでしっかり起立させる。このとき、各区間の折れ目２５，２６，２７が三角形の角部となる。図４（ａ）は、ケースの筆記具収容面を外側に向けて起立させた状態である。図４（ｂ）は、ケースの筆記具収容面を内側に向けて起立させた状態である。起立させた状態で、最後にバンド３を巻き付け、起立状態が崩れないようにする。この実施例では、断面が二等辺三角形であるが、各区間の長さを調節することにより、正三角形、その他の三角形とすることもできる。
【００１９】
持ち運びなどのときには、図４（ｂ）に示すように、第１区画２１を内側に入れ、第２区画２２、第３区画２３でこれを包み、第４区画２４で封鎖する。このときも最後にバンド３を巻き付け、折り畳み状態が崩れないようにする。
【００２０】
バンド３は、起立状態維持用に使用するときと、折り畳み状態維持用に使用するときとで、外側露出面が逆になる。この性質を利用して、バンドの色彩を表裏で異ならせることにより、デザイン的にも優れたものとなる。
【００２１】
筆記具ケース１の収納面には、筆記具やハサミ、定規などを収納することができる。
【００２２】
第１区画２１の下部にはペンや鉛筆を収納する第１収納室４が設けられている。第１収納室４は、皮革などをジグザグ状に折り曲げて凹凸を形成し、本体と接触する凹部分４１において接合させて形成したものである。第１区画２１には、凸部４２によって形成される第１収納室４が２室形成されているのが分かる。第１収納室４の下部は閉じられていてペンなどが下に抜け出ないようになっている。
【００２３】
第２区画２２では、下部にペンや鉛筆を収納する第２収納室５が設けられている。第２収納室５も、皮革などをジグザグ状に折り曲げて凹凸を形成し、本体と接触する凹部分５１において接合させて形成したものである。第２区画２２には、凸部５２によって形成される第２収納室５が２室形成されているのが分かる。第２収納室５の下部は閉じられていてペンなどが下に抜け出ないようになっている。
【００２４】
第１区画２１と第２区画２２の上側には、前記収納物が上方に抜け落ちないように垂れ蓋４３、５３が最上部から吊り下げられている。
【００２５】
第３区画２３には、下部に蓋６１付きの袋である第３収納室６が設けられており、上部にも蓋７１付きの袋である第４収納室７が設けられている。
【００２６】
ここで、第１区画２１の第１収納室４と垂れ蓋４３の間、第２区画２２の第２収納室５と垂れ蓋５３の間、及び、第３区画２３の第３収納室６と第４収納室７の間は直線状の空きスペース２８としておくのが好ましい。図４（ａ）のように、収納面を外側にして起立させたとき、バンド３がこの空きスペース２８を障害なく走るようにするためである。
【符号の説明】
【００２７】
１     筆記具ケース
２     本体
２１   第１区画
２２   第２区画
２３   第３区画
２４   第４区画
２５，２６，２７     折り目
２８   スペース
３     弾力バンド
４     第１収納室
４１   凹部分
４２   凸部分
４３   垂れ蓋
５     第２収納室
５１   凹部分
５２   凸部分
５３   垂れ蓋
６     第３収納室
６１   蓋
７     第４収納室
７１   蓋
【図１】
2016202280.tif 000003
【図２】
2016202280.tif 000004
【図３】
2016202280.tif 000005
【図４】
2016202280.tif 000006